(57)【要約】【課題】電気機器に接続された多極コネクタを無理なくスムーズに取外す為の治具を提供する。【解決手段】平板とその平板の同じ側縁側に設けた回動自在なレバーとで取外し治具を構成し、平板をＤサブコネクタとこれが接続された電気機器のソケット間の隙間に挿入して平板の同じ側縁側に設けた回動自在なレバーの先端をＤサブコネクタの下面両端に配置し、レバーの他端のつまみ部を押し下げることで、レバーの先端でＤサブコネクタを持ち上げ、電気機器のソケットから容易に取外すことが出来る。【選択図】図１
2015220053.tif 000002
【特許請求の範囲】
【請求項１】
平板と、この平板の同じ側縁側の両端部に設けられた回動自在のレバーとからなることを特徴とする多極コネクタ用取外し治具。
【請求項２】
回動自在のレバーが平板に摺動自在に設けられたことを特徴とする請求項１記載の多極コネクタ用取外し治具。
【発明の詳細な説明】
【技術分野】
【０００１】
本発明は、電気機器間の接続などに用いられる多極コネクタの取外し治具に関するものである。
【背景技術】
【０００２】
電気機器に導線を介して他の電気機器などを接続する際にＤサブコネクタ、ＲＳ−２３２Ｃコネクタ、Ｖ３５コネクタ等の多極コネクタを導線の先端に設け、これを電気機器のソケットに差し込んで接続することは知られている。この場合に、多極コネクタを取り外す際は、コネクタを手で把持し、強く引く抜くことで行われるも、オスピンやメスピンの数が多いと取外しが困難でありまた無理やり取り外してオスピンを曲げるたり、メスピンを変形させることもあった。
【０００３】
これらの課題を解決する方法として、電気機器のソケットの近傍に取外し具を設けて、接続されたコネクタをこの取外し具で取り外すこと（特許文献１）や、コネクタの前面に取外し具を設け、この取外し具と共にコネクタをソケットに挿入し、取り外す際にはこの取外し具を用いて取り外すこと（特許文献２）が示されている。
【０００４】
更に、洗濯ばさみ形状を有する取外し治具を用いて取り外す提案もなされている。（特許文献３）
【先行技術文献】
【特許文献】
【０００５】
【特許文献１】特開平６−１４００９７号公報
【特許文献２】実公昭６２−２８０５６号公報
【特許文献３】特開２００３−２４３１２３号公報
【発明の概要】
【発明が解決しようとする課題】
【０００６】
特許文献１や２に示されるものは、予め機器やコネクタに取付具が取り付けられているものなので、これらが取り付けられていない物へ用いることが出来ない欠点がある。特許文献３に示されるものは、別体に形成された取外し具なので、取付具が取り付けられていない物へ用いることができ便利ではあるが、洗濯ばさみ構造である為に、開き拡がる先端が傾斜し、取り外すべきコネクタ面にその先端が一様には当接せず、力の掛かり方に偏りが出て、上手く取り外せない場合も想起される。
本発明はこれら従来の課題を解消すべくなされたものである。
【課題を解決するための手段】
【０００７】
本発明は、多極コネクタ用取外し治具として、平板と、この平板の同じ側縁側の両端部に設けられた回動自在に設けたくの字状レバーとで構成したものである。
【０００８】
従って、平板を機器側に当接しその両端部に設けられたレバーを回動させることで多極コネクタの両端部を持ち上げて取り外すことができるものである。この際、くの字状に形成されたレバーの先端は一様に多極コネクタ端部に押し当てられるので、コネクタへの力の掛かり方は偏ることなく一様に掛かり、平行に持ち上げることができて、ピンを曲げたり変形させる恐れも無く上手にコネクタを取り外すことができる。
【発明の効果】
【０００９】
本発明によれば、構造が簡単にして、力を一様にコネクタに伝えることができ、ピンを曲げるたり変形させたりすることなくコネクタを取外すことができるものである。
【図面の簡単な説明】
【００１０】
【図１】本発明実施形態の取外し治具の斜視図である。
【図２】取外し治具の使用法を説明する図である。
【図３】他の実施形態の取外し治具の斜視図である。
【発明を実施するための形態】
【００１１】
図に基づき、本発明の実施形態を説明する。
【００１２】
図１は、本発明の一実施形態の多極コネクタの取外し治具１の斜視図である。図示の通り、取外し治具は、金属、例えばステンレスで形成され、矩形状の平板１１と、その長辺の同じ側縁側の両端部設けられたくの字状の回動自在レバー１２、１２とから構成され、回動自在レバー１２は、平板１１の側縁端部から外方へ延出る基部１３とこの基部の両端に位置し直立する一対の支持体１４、１４とからなるコ字状部材１５の該支持体１４に、レバー１２の両外側面に備えた突起を支持体１４の穴に通し、突起の先端を潰してリベット止めすることで、レバー１２を支持体１４間に回動自在に枢着している。平板１１とコ字状部材１５は溶接により接続されている。
【００１３】
この様に形成された取外し治具１は、図２の（ａ）に示される通り、パソコンなどの電気機器に接続されたＤサブコネクタ２と電気機器間に取外し治具１の平板１１を挿入して用いられる。Ｄサブコネクタ２がネジ２１により電気機器に固定されている場合は、このネジ２１を外す。このＤサブコネクタは接続前面には多数の突出するオスピンが形成され多極コネクタを形成し、これら多数のオスピンを囲んで金属シールド２２が形成されている。電気機器とＤサブコネクタ２間には６ｍｍ程度の隙間がある。この隙間に平板を挿入することで、図２の（ｂ）に示される通り、Ｄサブコネクタ２の金属シールド２２の外側の両端下面に各々レバー１２の先端が配置される。この状態でレバー１２の他端の比較的長く形成されたつまみ部を押し下げてレバー１２を回動すると、レバー１２の先端がＤサブコネクタ２の下面に当接し、更に、図２の（ｃ）に示される通り、Ｄサブコネクタ２を持ち上げて、電気機器からＤサブコネクタ２を簡単に取外すことができる。
【００１４】
図３は、取外し治具１の他の実施形態を示し、平板１１の同じ側縁側の両端にコ字状部材１５を摺動自在に設けたもので、コ字状部材１５を座部１６に溶接して取り付けたものである。この座部１６は板の両側を折り曲げてコ字状溝１７を形成し、このコ字状溝に平板１１を通すことで、平板１１上を摺動自在にしたもので、このことにより、大きさの異なる種種のＤサブコネクタに対し用いることを可能にしたものである。
【００１５】
この場合も、平板１１を電気機器とＤサブコネクタの隙間へ挿入し、座部１６を摺動して取外すべきＤサブコネクタの両端下面にレバー１２の先端を配置し、レバー１２のつまみ部を押して回動することで簡単に取外すことができる。
【００１６】
なお、上記実施形態では、Ｄサブコネクタに使用した場合を示したが、これに限らず、ＲＳ−２３２Ｃコネクタ、Ｖ３５コネクタ等に用いることも出来、また、ピンも多数のオスピンを有する場合に限らず、メスピンを有する場合でも良い。また、取外し治具を金属で形成した場合を示したが、ポリカーボネートなどの硬質プラスチックで形成しても良い。更に、支持体へのレバーの枢着はリベットに限らず、ボルトナットによるネジ止めでも良い。
【００１７】
以上の通り、平板の同じ側縁側にレバーを形成するという簡単な構成により、多極コネクタを不都合無く簡単に取外すことができる。
【符号の説明】
【００１８】
１    取外し治具
１１  平板
１２  レバー
２    Ｄサブコネクタ
【図１】
2015220053.tif 000003
【図２】
2015220053.tif 000004
【図３】
2015220053.tif 000005